(57)【要約】      （修正有）【課題】対象物を傷めることなく、安定的に結束することができ、かつ量産にも対応し得る結束バンドを提供する。【解決手段】雑誌や書籍等を結束する結束バンド１であって、任意の弾性素材を適宜の巾を有する帯形状に形成してなるベース材Ｂと、該ベース材の長さ方向に沿って当該ベース材の両端近傍まで設けた主切込ＣＭと、該主切込の両脇にあって当該主切込と略平行な２本の直線上にそれぞれ２つずつ適宜の間隔を隔てて設けた４つの副切込ＣＳを備え、各副切込に前記雑誌等の四隅をそれぞれに挿入して係留することにより該雑誌等を結束できるようにした。【選択図】図１
0003150533.tif 000002
【実用新案登録請求の範囲】
【請求項１】
雑誌や書籍等を結束する結束バンドであって、
任意の弾性素材を適宜の巾を有する帯形状に形成してなるベース材と、該ベース材の長さ方向に沿って当該ベース材の両端近傍まで設けた主切込と、該主切込の両脇にあって当該主切込と略平行な2本の直線上にそれぞれ2つずつ適宜の間隔を隔て列設した4つの副切込を備え、
各副切込に前記雑誌等の四隅をそれぞれに挿入して係留することにより該雑誌等を結束できるようにした結束バンド。
【請求項２】
主切込及び／又は副切込は、適宜の幅を有するスリット状に形成した請求項1の結束バンド。
【請求項３】
主切込及び／又は副切込の端部には裂損防止用の孔を穿設した請求項1又は2の結束バンド。
【考案の詳細な説明】
【技術分野】
【０００１】
本考案は、ゴムなどの弾性素材からなる結束バンドに関し、より具体的には雑誌や書籍等を確実に結束しかつ大量生産にも適した結束バンドに関する。
【背景技術】
【０００２】
ゴム製の結束バンドには、その素材となるゴムの番手・形状に応じたさまざまな構造を有するものが現に存在し、それらの用途も、たとえば袋の口部を結束したり、又は包装箱の蓋が外れないよう箱本体に係止したり、或いは書類を束ねて一纏めにするといったようにきわめて多岐にわたるものである。
【０００３】
そして、ゴム製の結束バンドによれば、従前の如く紐などを用いて結束するやり方に比べ、圧倒的に作業効率を上げることができることから、様々な分野において既によく利用されている。
【０００４】
ところで、これらの結束バンドは、いずれもリング状ないし環状をなす主に帯状のゴム材をベースとしてこれに適宜の切り込み等を入れて形成するものであることから、一度トンネル状にゴムのシート材を成形してからこれにカットを施す等する必要があり、製造工程を複雑にせざるを得ず、大量生産に向かないばかりか製造コストを抑えることさえ困難な状況にある。
【０００５】
これに反して、結束バンドを単なるリング状・環状に形成し、上記の切り込み等は省いた場合、横又は縦の一方向にのみ結束するやり方では、たとえば重たい書物等を結束した場合、持ち上げた拍子にその安定を失して書物を落下させる危険があり、またこれを避けるために複数のゴムバンド等を十字掛けにしたり、或いは書物等の四隅のうち斜めに対角する2つの隅部分に引掛ける等して固定すると、今度は当該バンドとの接触箇所において書物を傷つけてしまい、更にはゴム材の弾性力から書物そのものに対して折癖をつけてしまうこともあって、いずれにしても不具合を有していた。
【考案の概要】
【考案が解決しようとする課題】
【０００６】
そこで本考案は、結束対象物を傷めることなく、安定的に結束することができ、かつ量産にも適した結束バンドを提供することを課題とする。
【課題を解決するための手段】
【０００７】
上記の課題を解決することを目的としてなされた本考案結束バンドの構成は、雑誌や書籍等を結束する結束バンドであって、任意の弾性素材を適宜の巾を有する帯形状に形成してなるベース材と、該ベース材の長さ方向に沿って当該ベース材の両端近傍まで設けた主切込と、該主切込の両脇にあって当該主切込と略平行な2本の直線上にそれぞれ2つずつ適宜の間隔を隔て列設した4つの副切込を備え、各副切込に前記雑誌等の四隅をそれぞれに挿入して係留することにより該雑誌等を結束できるようにしたことを特徴とするものである。
【０００８】
本考案結束バンドにおける主切込及び／又は副切込は、適宜の幅を有するスリット状に形成することも任意である。
【０００９】
また、本考案結束バンドにおける主切込及び／又は副切込の端部には裂損防止用の孔を穿設して構成するのが望ましい。
【考案の効果】
【００１０】
本考案結束バンドは、単に、薄い板状に成形した任意の弾性素材の所定の位置に、主切込及び副切込を設けるだけで構成することができることから、従来品に存する製造工程やコストの問題等については、これを効果的に回避することができるようになる。
【００１１】
また、本考案結束バンドは、4つ設けられた副切込のそれぞれに雑誌等の四隅を挿入して係留するものであるから、結束力の作用点に関し、それぞれ4点で保持する接触部位として4箇所、すなわち力の作用点としては全部で16箇所を確保し、その結果、結束に要する力をそれぞれのポイントに分散することができるようになることから、結束バンド自体が雑誌等を傷めてしまうといった不具合も完全に解消できるようになる。
【図面の簡単な説明】
【００１２】
【図１】本考案結束バンドの一例を示した斜視図
【図２】本考案結束バンドの一例を示した正面図
【図３】本考案結束バンドの一例を示した右側面図
【図４】本考案結束バンドの一例を示した平面図
【図５】本考案結束バンドの使用態様の一例を示した斜視図
【考案を実施するための形態】
【００１３】
以下、本考案結束バンドの実施の形態例について、図に拠り説明する。
【００１４】
図１は本考案結束バンドの一例を示した斜視図、図２は本考案結束バンドの一例を示した正面図、図３は本考案結束バンドの一例を示した右側面図、図４は本考案結束バンドの一例を示した平面図、図５は本考案結束バンドの使用態様の一例を示した斜視図である。
【００１５】
図１において、1
は、本考案に係る結束バンドを表しており、ベース材Ｂ、主切込CM及び副切込CSを具備している。
【００１６】
本考案結束バンド１におけるベース材Ｂは、図２及び図３に示すように、薄い板状ないしシート状に成形したゴムその他任意の弾性素材Ｇを、適宜の巾Ｗを有する帯形状に形成してなるものである。
【００１７】
また、図４に示すように、本考案結束バンド１を構成する主切込CMは、ベース材Ｂに対して、その長さ方向に沿って当該ベース材Ｂの端部近傍BEまで切り込んで形成したものである。
【００１８】
さらに、本考案結束バンド１は、この主切込CMの両脇にあって当該主切込CMと平行な２本の直線上にそれぞれ２つずつ、適宜の間隔ｄを隔て、列設した４つの副切込CSを備えるものである。
【００１９】
ここに「切込」とは、単にベース材Ｂを切り裂いて形成するのみならず、適宜の巾を有するスリット形状に該ベース材Ｂを刳り抜いて形成したものを含むものとして記載している。
【００２０】
なお、主切込CM及び副切込CSについては、本考案結束バンド1を繰り返し使用した場合にあっても各切込CM、CSの端部から裂損してしまうことがないよう、それぞれの端部において（図示しない）裂損防止孔Ｈを穿設して構成することも任意である。
【実施例】
【００２１】
本考案結束バンド１は、図１ないし図４から明らかなとおり、薄い板状ないしシート状に成形したゴム等の弾性素材Ｇから、適宜の帯形状を有するベース材Ｂとその内部に配設される主切込CM及び副切込CSの輪郭をそれぞれ刳り抜くだけで実施され、全体としては１つの帯状部材をなすと同時に、他方では平行に並んだ４本の紐状部材がそれらの各両端部において、またそのうち外側に位置する２本の紐状部材とその隣に位置する紐状部材とがそれらの略中央部において、それぞれの連結部（端部連結部UE及び中央部連結部UM）によって一体的に連結された形状をなすことになる。
【００２２】
すなわち、本考案結束バンド１においては、これに結束バンドとしての極めて優れた形態及び機能が備わるにも拘らず、従来型バンドのように複雑な製造工程やそれにかかる高価な費用等を一切要求されることがない。
【００２３】
そして、図４に示すように、結束対象たる例えば雑誌N1及びN2の四隅をそれぞれ揃えた上で、各々の隅部分を本考案結束バンド１における４つの副切込CSに対して挿入して、該副切込CSをすべて隅部分に係留する。
【００２４】
これによって、雑誌N1及びN2の四隅を確実に固定して保持することができるようになり、この結果、単なる輪ゴム等により結束する場合に見られるような、持ち上げた途端にこれら雑誌N1及びN2の結束が解けて落下させてしまうといった弊害についても解消することができる。
【００２５】
しかも、副切込CSと雑誌N1及びN2との接触箇所については、それぞれが４点で保持される接触部位が４箇所ずつあって、つまり結束力の作用点としては全部で16箇所を有することになるため、結束に要する物理力を極めて分散的に支持することができることから、雑誌N1及びN2自体が傷付けられることもない。
【００２６】
また、本考案結束バンド１の使用は、輪ゴムバンドのような使い捨ての使用態様に限らず、たとえば各切込の端部において裂損防止用の孔Ｈを設けるなど繰り返して使用するのにさらに好適な構成を備えることで、何度でも繰り返して使い続けることが可能となる。
【００２７】
本考案結束バンド１は、具体的には、雑誌に添付される付録を当該雑誌に挟み込んだ状態で結束する場合、又は販売のために陳列してある雑誌や書籍を立ち読みされないために結束する場合などに使用される。
【産業上の利用可能性】
【００２８】
本考案は以上のとおりであって、単に、薄い板状に成形した任意の弾性素材の所定の位置に主切込及び副切込を設けるだけで構成することができることから、従来品の有する複雑な製造工程やコスト上の問題等については、これを効果的に回避することができるようになり、また、４つ設けられた副切込のそれぞれに雑誌等の四隅を挿入して係留することによって、当該雑誌等との接触箇所が全部で16箇所となって結束に要する力をそれぞれのポイントに分散することができるため、結束バンド自体が雑誌等を傷めてしまうといった不具合も完全に解消できるようになるといった効果を有するから、結束バンドに適用してきわめて有用である。
【符号の説明】
【００２９】
１    本考案に係る結束バンド
Ｂ    ベース材
CM    主切込
CS    副切込
BE    ベース材端部近傍
UE    端部連結部
UM    中央部連結部
Ｎ    雑誌
【図１】
0003150533.tif 000003
【図２】
0003150533.tif 000004
【図３】
0003150533.tif 000005
【図４】
0003150533.tif 000006
【図５】
0003150533.tif 000007